(57)【要約】【課題】平積み保管して作業性の向上を図れる角落しおよび角落し保管方法を提供する。【解決手段】角落し１０は上段、中段および下段角落し２０，３０，４０に分割されている。上段、中段および下段角落し２０，３０，４０は、上段、中段および下段角落し扉体２１，３１，４１と、上段、中段および下段角落し扉体２１，３１，４１の上面の左右端部にそれぞれ取り付けられたかつ上段、中段および下段角落し２０，３０，４０を海水取水口および角落し保管場所で吊る際にクレーンに接続される２つの上段、中段および下段吊金具２２，３２，４２と、上段、中段および下段角落し扉体２１，３１，４１の裏面の左右下端部にそれぞれ取り付けられたかつ上段、中段および下段角落し２０，３０，４０を角落し保管場所で平積み保管したり吊ったりする際にクレーンに接続される２つの上段、中段および下段吊リング２３，３３，４３とを備える。【選択図】図２
2020060007.tif 000002
【特許請求の範囲】
【請求項１】
海水取水口（１２１）の角落し戸溝に挿入して海水取水路内に取り入れる海水を堰き止めるための角落し（１０）であって、
前記角落しが上段、中段および下段角落し（２０，３０，４０）を具備し、
前記上段、中段および下段角落しが、
上段、中段および下段角落し扉体（２１，３１，４１）と、
前記上段、中段および下段角落し扉体の上面の左右端部にそれぞれ取り付けられた、かつ、前記上段、中段および下段角落しを前記海水取水口および角落し保管場所（１２２）で吊る際にクレーン（１３１）に接続される２つの上段、中段および下段吊金具（２２，３２，４２）と、
前記上段、中段および下段角落し扉体の裏面の左右下端部にそれぞれ取り付けられた、かつ、前記上段、中段および下段角落しを前記角落し保管場所で平積み保管したり吊ったりする際に前記クレーンに接続される２つの上段、中段および下段吊リング（２３，３３，４３）とを備える、
ことを特徴とする、角落し。
【請求項２】
前記角落し保管場所に平積み保管された前記上段、中段および下段角落しを前記角落し戸溝に挿入する際には、前記２つの上段、中段および下段吊金具と前記２つの上段、中段および下段吊リングとを前記クレーンに接続して、前記上段、中段および下段角落しを横向きのまま吊り上げたのちに立て、前記２つの上段、中段および下段吊リングを前記クレーンから外して前記立てた上段、中段および下段角落しを前記角落し保管場所から前記角落し戸溝の上方まで移動させ、
前記上段、中段および下段角落しを前記角落し戸溝から引き抜いて前記角落し保管場所に平積み保管する際には、前記２つの上段、中段および下段吊金具を前記クレーンに接続して前記上段、中段および下段角落しを前記角落し戸溝から引き抜いて前記角落し保管場所の上方まで移動させたのち、前記２つの上段、中段および下段吊リングを前記クレーンに接続して前記上段、中段および下段角落しを横向きにする、
ことを特徴とする、請求項１記載の角落し。
【請求項３】
前記上段角落し扉体（２１）に、前記角落しを前記角落し戸溝から引き抜く際に前記海水取水路内に海水を張るための導水管（２１ｂＬ，２１ｂＲ）が設けられており、
前記上段角落し扉体に取り付けられた、かつ、前記導水管の入口側開口を完全に露出させたり完全に塞いだりするための扉体（５１Ｌ，５１Ｒ）を備えた水張り用ゲート（５０Ｌ，５０Ｒ）と、
前記角落し扉体の前記水張り用ゲートの下方に取り付けられたシーブ（６０Ｌ，６０Ｒ）とを具備し、
前記水張り用ゲートが、
一端部が前記扉体の上端部に取り付けられた、かつ、前記扉体を引き上げて前記導水管の前記入口側開口を完全に露出させるためのゲート開用ワイヤー（５３Ｌ，５３Ｒ）と、
前記シーブに通されるとともに一端部が前記扉体の下端部に取り付けられた、かつ、前記扉体を引き下げて前記導水管の前記入口側開口を完全に塞ぐためのゲート閉用ワイヤー（５４Ｌ，５４Ｒ）とを備える、
ことを特徴とする、請求項１または２記載の角落し。
【請求項４】
前記導水管の径が、前記入口側開口を完全に露出させたときに前記海水取水路内への水張りが１２時間程度でできる大きさとされていることを特徴とする、請求項３記載の角落し。
【請求項５】
請求項１記載の上段、中段および下段角落し（２０，３０，４０）を平積み保管するための角落し保管方法であって、
前記角落し保管場所を前記海水取水口付近に前記クレーンを間にして確保し、
前記上段、中段および下段角落しを前記角落し戸溝から前記上段、中段および下段角落しの順に引き抜いて前記角落し保管場所に平積み保管する角落し保管ステップを具備し、
前記角落し保管ステップにおいて、
前記２つの上段吊金具を前記クレーンに接続し、前記クレーンで前記上段角落しを吊り上げて前記角落し戸溝から引き抜き、
前記クレーンを旋回させて前記上段角落しを前記角落し保管場所の上方まで移動させ、
前記２つの上段吊リングを前記クレーンに接続し、前記クレーンを操作して前記上段角落しを横向きし、前記上段角落しを複数本の第１の尺角（９１）の上に置き、
前記２つの上段吊金具および前記２つの上段吊リングを前記クレーンから外し、前記クレーンを前記角落し保管場所から前記角落し戸溝の上方まで旋回させ、
前記２つの中段吊金具を前記クレーンに接続し、前記クレーンで前記中段角落しを吊り上げて前記角落し戸溝から引き抜き、
前記クレーンを旋回させて前記中段角落しを前記角落し保管場所の上方まで移動させ、
前記２つの中段吊リングを前記クレーンに接続し、前記クレーンを操作して前記中段角落しを横向きし、前記中段角落しを複数本の第２の尺角を介して前記上段角落しの上に置き、
前記２つの中段吊金具および前記２つの中段吊リングを前記クレーンから外し、前記クレーンを前記角落し保管場所から前記角落し戸溝の上方まで旋回させ、
前記２つの下段吊金具を前記クレーンに接続し、前記クレーンで前記下段角落しを吊り上げて前記角落し戸溝から引き抜き、
前記クレーンを旋回させて前記下段角落しを前記角落し保管場所の上方まで移動させ、
前記２つの下段吊リングを前記クレーンに接続し、前記クレーンを操作して前記下段角落しを横向きし、前記下段角落しを複数本の第３の尺角を介して前記中段角落しの上に置き、
前記２つの下段吊金具および前記２つの下段吊リングを前記クレーンから外す、
ことを特徴とする、角落し保管方法。
【請求項６】
前記角落し保管場所に平積み保管された前記上段、中段および下段角落しを前記角落し戸溝に前記下段、中段および上段角落しの順に挿入する角落し挿入ステップをさらに具備し、
前記角落挿入ステップにおいて、
前記２つの下段吊金具および前記２つの下段吊リングを前記クレーンに接続し、前記下段角落しを横向きのまま吊り上げたのちに立て、前記２つの下段吊リングを前記クレーンから外し、前記下段角落しを前記角落し保管場所から前記角落し戸溝の上方まで前記クレーンを旋回させて移動させ、前記下段角落しを前記角落し戸溝に挿入し、
前記２つの下段吊金具を前記クレーンから外して前記角落し戸溝から引き抜き、前記クレーンを前記角落し戸溝から前記角落し保管場所の上方まで旋回させ、
前記２つの中段吊金具および前記２つの中段吊リングを前記クレーンに接続し、前記中段角落しを横向きのまま吊り上げたのちに立て、前記２つの中段吊リングを前記クレーンから外し、前記中段角落しを前記角落し保管場所から前記角落し戸溝の上方まで前記クレーンを旋回させて移動させ、前記中段角落しを前記角落し戸溝に挿入し、
前記２つの中段吊金具を前記クレーンから外して前記角落し戸溝から引き抜き、前記クレーンを前記角落し戸溝から前記角落し保管場所の上方まで旋回させ、
前記２つの上段吊金具および前記２つの上段吊リングを前記クレーンに接続し、前記上段角落しを横向きのまま吊り上げたのちに立て、前記２つの上段吊リングを前記クレーンから外し、前記上段角落しを前記角落し保管場所から前記角落し戸溝の上方まで前記クレーンを旋回させて移動させ、前記上段角落しを前記角落し戸溝に挿入する、
ことを特徴とする、請求項５記載の角落し保管方法。
【請求項７】
前記角落しを前記角落し戸溝から引き抜く際に前記海水取水路内に海水を張るための導水管（２１ｂＬ，２１ｂＲ）を前記上段角落し扉体（２１）に設けておき、
前記導水管の入口側開口を完全に露出させたり完全に塞いだりするための扉体（５１Ｌ，５１Ｒ）を備えた水張り用ゲート（５０Ｌ，５０Ｒ）を前記上段角落し扉体に取り付けておき、
シーブ（６０Ｌ，６０Ｒ）を前記角落し扉体の前記水張り用ゲートの下方に取り付けておき、
前記扉体を引き上げて前記導水管の前記入口側開口を完全に露出させるためのゲート開用ワイヤー（５３Ｌ，５３Ｒ）の一端部を前記扉体の上端部に取り付けておき、
前記扉体を引き下げて前記導水管の前記入口側開口を完全に塞ぐためのゲート閉用ワイヤー（５４Ｌ，５４Ｒ）を前記シーブに通しておくとともに前記ゲート閉用ワイヤーの一端部を前記扉体の下端部に取り付けておき、
前記角落し保管ステップにおいて、前記クレーンで前記上段角落しを吊り上げて前記角落し戸溝から引き抜く前に、前記ゲート閉用ワイヤーの他端部を引き上げて前記水張り用ゲートを開いて前記導水管を介して前記海水取水路内に海水を張ったのちに、前記ゲート閉用ワイヤーの他端部を引き上げて前記水張り用ゲートを閉じる、
ことを特徴とする、請求項５または６記載の角落し保管方法。
【請求項８】
前記２つの上段、中段および下段吊金具を前記クレーンに接続する際に角落し吊冶具（７０）を使用し、
前記角落し吊冶具が、
棒状のリフティングビーム（７１）と、
前記リフティングビームの中央部の下方に取り付けられた吊フック連結棒（７４）と、
前記吊フック連結棒の左右端部にそれぞれ取り付けられた２つの吊フック（７５）と、
前記吊フック連結棒の中央部に取り付けられた、かつ、前記吊フック連結棒を介して前記２つの吊フックに掛け方向モーメントおよび脱方向モーメントを作用させるためのウエイト（７６）と、
前記リフティングビームの左右端部に下方に向けてそれぞれ取り付けられた２つのストッパ取付部材（７７）と、
前記２つのストッパ取付部材に取外し可能にそれぞれ取り付けられた２つのストッパ（７８）とを備える、
ことを特徴とする、請求項５乃至７いずれかに記載の角落し保管方法。
【発明の詳細な説明】
【技術分野】
【０００１】
本発明は、火力発電所等の海水取水路で使用するのに好適な角落しおよび角落し保管方法に関する。
【背景技術】
【０００２】
火力発電所や原子力発電所では、冷却用の海水を取り入れるための海水取水路が敷設されており、通常時には角落し（海水止水板）をクレーンで吊って海水取水口の戸溝（以下、「角落し戸溝」と称する。）から引き抜いて海水を取り入れ、海水取水路の点検や清掃等を行う際には角落しをクレーンで吊って角落し戸溝に挿入して海水を堰き止めている。
【０００３】
このような角落しは、海水取水口から遠く離れた角落し保管場所に他の海水取水路で使用している角落しと一緒に縦に立てて保管（以下、「縦置き保管」と称する。）するようにしている。
【０００４】
例えば、図７（ａ）に示すように、後述する上段、中段および下段角落し２０，３０，４０（図１参照）と同じ寸法および荷重の６個の角落し１１１（横５ｍ×縦１．６ｍ×幅０．５ｍ、荷重約５ｔ）を縦横３個ずつ並べて縦置き保管する場合には、コンクリート基礎１１２（横４．１ｍ×縦１２ｍ×深さ０．５ｍ＝２４．６ｍ3）の上に、角落し１１１の転倒を防止するために、１６個の固定用コンクリート１１３ａ（横１ｍ×高さ１ｍ×幅０．５ｍ×１６個＝８ｍ3）を縦横４個ずつ格子状に立設して転倒防止用側壁１１３を設置するとともに、縦置き保管された角落し１１１を保護するために、固定用コンクリート１１３ａの角落し１１１と対向する面の両側端部に２個のゴム製緩衝材１１３ｂを取り付ける。
【０００５】
また、海水を堰き止めた状態では角落し１１１の表裏両面に差圧が生じており、角落し１１１を角落し戸溝から容易に引き抜くことができないため、海水取水路の点検や清掃等の完了後に角落し１１１を僅かに引き抜いて海水取水路内に海水を張っていき、角落し１１１の表裏両面の差圧をなくしてから角落し１１１全体を引き抜くようにしている。
【０００６】
なお、下記の特許文献１には、リフティングビームの長手方向と直交する方向に沿ってビーム本体に配置した第１ピンの軸回りを回転可能なジョイントと、第１ピンの長手方向と直交する方向に沿ってジョイントに配置した第２ピンの軸周りを回転可能な吊フックをフック部に備えさせることにより、吊金具の開口が横向きの状態でフックを掛止できるようにして、吊金具を設けた上端面が横向きになった止水ゲート（角落し）の吊上げ／吊下し作業を容易にした吊り上げ装置が開示されている。
【０００７】
また、下記の特許文献２には、複数段の角落しのうちの最下段の角落しに、堰き止められた水を流出するための流出口を形成するとともに流出口を開閉できる水張り用ゲート（閉塞部材）を設けた、角落しの構造が開示されている。
【先行技術文献】
【特許文献】
【０００８】
【特許文献１】特開２０１７−１４９５６１号公報
【特許文献２】特開平１１−１５８８４６号公報
【発明の概要】
【発明が解決しようとする課題】
【０００９】
しかしながら、海水取水口から遠く離れた角落し保管場所に角落しを保管する場合には、海水取水口と角落し保管場所との間を運搬車等で角落しを運ぶことになるため、角落しを吊り替える必要があった。
そこで、図７（ｂ）に示すように、海水取水口１２１付近（クレーン１３１の旋回範囲の緑地帯）に角落し保管場所１２２を確保し、海水取水口１２１と角落し保管場所１２２との間にクレーン１３１（例えば、８０ｔクレーン）を置いて、角落し１１１を吊り替えなくても海水取水口１２１と角落し保管場所１２２との間を移動させるようにして、作業性の向上を図りたいという要請があった。
【００１０】
また、角落し保管場所１２２を海水取水口１２１付近に設けても、複数個の角落し１１１を縦置き保管する場合には転倒防止用側壁１１３に強度を持たせるために広い敷地での大掛かりな工事を必要とするため、角落し１１１を横に倒し平積みして保管（以下、「平積み保管」と称する。）したいという要請があった。
【００１１】
なお、上記の特許文献１に開示された吊り上げ装置は、吊金具にフックを掛止して角落しを立てるものであるため、平積み保管された角落しを立てる際にその下端部がその下に積まれた角落しの表面を擦ってしまうという問題がある。
【００１２】
本発明の目的は、平積み保管して作業性の向上を図ることができる角落しおよび角落し保管方法を提供することにある。
【課題を解決するための手段】
【００１３】
本発明の角落しは、海水取水口（１２１）の角落し戸溝に挿入して海水取水路内に取り入れる海水を堰き止めるための角落し（１０）であって、前記角落しが上段、中段および下段角落し（２０，３０，４０）を具備し、前記上段、中段および下段角落しが、上段、中段および下段角落し扉体（２１，３１，４１）と、前記上段、中段および下段角落し扉体の上面の左右端部にそれぞれ取り付けられた、かつ、前記上段、中段および下段角落しを前記海水取水口および角落し保管場所（１２２）で吊る際にクレーン（１３１）に接続される２つの上段、中段および下段吊金具（２２，３２，４２）と、前記上段、中段および下段角落し扉体の裏面の左右下端部にそれぞれ取り付けられた、かつ、前記上段、中段および下段角落しを前記角落し保管場所で平積み保管したり吊ったりする際に前記クレーンに接続される２つの上段、中段および下段吊リング（２３，３３，４３）とを備えることを特徴とする。
ここで、前記角落し保管場所に平積み保管された前記上段、中段および下段角落しを前記角落し戸溝に挿入する際には、前記２つの上段、中段および下段吊金具と前記２つの上段、中段および下段吊リングとを前記クレーンに接続して、前記上段、中段および下段角落しを横向きのまま吊り上げたのちに立て、前記２つの上段、中段および下段吊リングを前記クレーンから外して前記立てた上段、中段および下段角落しを前記角落し保管場所から前記角落し戸溝の上方まで移動させ、前記上段、中段および下段角落しを前記角落し戸溝から引き抜いて前記角落し保管場所に平積み保管する際には、前記２つの上段、中段および下段吊金具を前記クレーンに接続して前記上段、中段および下段角落しを前記角落し戸溝から引き抜いて前記角落し保管場所の上方まで移動させたのち、前記２つの上段、中段および下段吊リングを前記クレーンに接続して前記上段、中段および下段角落しを横向きにしてもよい。
前記上段角落し扉体（２１）に、前記角落しを前記角落し戸溝から引き抜く際に前記海水取水路内に海水を張るための導水管（２１ｂＬ，２１ｂＲ）が設けられており、前記上段角落し扉体に取り付けられた、かつ、前記導水管の入口側開口を完全に露出させたり完全に塞いだりするための扉体（５１Ｌ，５１Ｒ）を備えた水張り用ゲート（５０Ｌ，５０Ｒ）と、前記角落し扉体の前記水張り用ゲートの下方に取り付けられたシーブ（６０Ｌ，６０Ｒ）とを具備し、前記水張り用ゲートが、一端部が前記扉体の上端部に取り付けられた、かつ、前記扉体を引き上げて前記導水管の前記入口側開口を完全に露出させるためのゲート開用ワイヤー（５３Ｌ，５３Ｒ）と、前記シーブに通されるとともに一端部が前記扉体の下端部に取り付けられた、かつ、前記扉体を引き下げて前記導水管の前記入口側開口を完全に塞ぐためのゲート閉用ワイヤー（５４Ｌ，５４Ｒ）とを備えてもよい。
前記導水管の径が、前記入口側開口を完全に露出させたときに前記海水取水路内への水張りが１２時間程度でできる大きさとされていてもよい。
本発明の角落し保管方法は、本発明の上段、中段および下段角落し（２０，３０，４０）を平積み保管するための角落し保管方法であって、前記角落し保管場所を前記海水取水口付近に前記クレーンを間にして確保し、前記上段、中段および下段角落しを前記角落し戸溝から前記上段、中段および下段角落しの順に引き抜いて前記角落し保管場所に平積み保管する角落し保管ステップを具備し、前記角落し保管ステップにおいて、前記２つの上段吊金具を前記クレーンに接続し、前記クレーンで前記上段角落しを吊り上げて前記角落し戸溝から引き抜き、前記クレーンを旋回させて前記上段角落しを前記角落し保管場所の上方まで移動させ、前記２つの上段吊リングを前記クレーンに接続し、前記クレーンを操作して前記上段角落しを横向きし、前記上段角落しを複数本の第１の尺角（９１）の上に置き、前記２つの上段吊金具および前記２つの上段吊リングを前記クレーンから外し、前記クレーンを前記角落し保管場所から前記角落し戸溝の上方まで旋回させ、前記２つの中段吊金具を前記クレーンに接続し、前記クレーンで前記中段角落しを吊り上げて前記角落し戸溝から引き抜き、前記クレーンを旋回させて前記中段角落しを前記角落し保管場所の上方まで移動させ、前記２つの中段吊リングを前記クレーンに接続し、前記クレーンを操作して前記中段角落しを横向きし、前記中段角落しを複数本の第２の尺角を介して前記上段角落しの上に置き、前記２つの中段吊金具および前記２つの中段吊リングを前記クレーンから外し、前記クレーンを前記角落し保管場所から前記角落し戸溝の上方まで旋回させ、前記２つの下段吊金具を前記クレーンに接続し、前記クレーンで前記下段角落しを吊り上げて前記角落し戸溝から引き抜き、前記クレーンを旋回させて前記下段角落しを前記角落し保管場所の上方まで移動させ、前記２つの下段吊リングを前記クレーンに接続し、前記クレーンを操作して前記下段角落しを横向きし、前記下段角落しを複数本の第３の尺角を介して前記中段角落しの上に置き、前記２つの下段吊金具および前記２つの下段吊リングを前記クレーンから外すことを特徴とする。
ここで、前記角落し保管場所に平積み保管された前記上段、中段および下段角落しを前記角落し戸溝に前記下段、中段および上段角落しの順に挿入する角落し挿入ステップをさらに具備し、前記角落挿入ステップにおいて、前記２つの下段吊金具および前記２つの下段吊リングを前記クレーンに接続し、前記下段角落しを横向きのまま吊り上げたのちに立て、前記２つの下段吊リングを前記クレーンから外し、前記下段角落しを前記角落し保管場所から前記角落し戸溝の上方まで前記クレーンを旋回させて移動させ、前記下段角落しを前記角落し戸溝に挿入し、前記２つの下段吊金具を前記クレーンから外して前記角落し戸溝から引き抜き、前記クレーンを前記角落し戸溝から前記角落し保管場所の上方まで旋回させ、前記２つの中段吊金具および前記２つの中段吊リングを前記クレーンに接続し、前記中段角落しを横向きのまま吊り上げたのちに立て、前記２つの中段吊リングを前記クレーンから外し、前記中段角落しを前記角落し保管場所から前記角落し戸溝の上方まで前記クレーンを旋回させて移動させ、前記中段角落しを前記角落し戸溝に挿入し、前記２つの中段吊金具を前記クレーンから外して前記角落し戸溝から引き抜き、前記クレーンを前記角落し戸溝から前記角落し保管場所の上方まで旋回させ、前記２つの上段吊金具および前記２つの上段吊リングを前記クレーンに接続し、前記上段角落しを横向きのまま吊り上げたのちに立て、前記２つの上段吊リングを前記クレーンから外し、前記上段角落しを前記角落し保管場所から前記角落し戸溝の上方まで前記クレーンを旋回させて移動させ、前記上段角落しを前記角落し戸溝に挿入してもよい。
前記角落しを前記角落し戸溝から引き抜く際に前記海水取水路内に海水を張るための導水管（２１ｂＬ，２１ｂＲ）を前記上段角落し扉体（２１）に設けておき、前記導水管の入口側開口を完全に露出させたり完全に塞いだりするための扉体（５１Ｌ，５１Ｒ）を備えた水張り用ゲート（５０Ｌ，５０Ｒ）を前記上段角落し扉体に取り付けておき、シーブ（６０Ｌ，６０Ｒ）を前記角落し扉体の前記水張り用ゲートの下方に取り付けておき、前記扉体を引き上げて前記導水管の前記入口側開口を完全に露出させるためのゲート開用ワイヤー（５３Ｌ，５３Ｒ）の一端部を前記扉体の上端部に取り付けておき、前記扉体を引き下げて前記導水管の前記入口側開口を完全に塞ぐためのゲート閉用ワイヤー（５４Ｌ，５４Ｒ）を前記シーブに通しておくとともに前記ゲート閉用ワイヤーの一端部を前記扉体の下端部に取り付けておき、前記角落し保管ステップにおいて、前記クレーンで前記上段角落しを吊り上げて前記角落し戸溝から引き抜く前に、前記ゲート閉用ワイヤーの他端部を引き上げて前記水張り用ゲートを開いて前記導水管を介して前記海水取水路内に海水を張ったのちに、前記ゲート閉用ワイヤーの他端部を引き上げて前記水張り用ゲートを閉じてもよい。
前記２つの上段、中段および下段吊金具を前記クレーンに接続する際に角落し吊冶具（７０）を使用し、前記角落し吊冶具が、棒状のリフティングビーム（７１）と、前記リフティングビームの中央部の下方に取り付けられた吊フック連結棒（７４）と、前記吊フック連結棒の左右端部にそれぞれ取り付けられた２つの吊フック（７５）と、前記吊フック連結棒の中央部に取り付けられた、かつ、前記吊フック連結棒を介して前記２つの吊フックに掛け方向モーメントおよび脱方向モーメントを作用させるためのウエイト（７６）と、前記リフティングビームの左右端部に下方に向けてそれぞれ取り付けられた２つのストッパ取付部材（７７）と、前記２つのストッパ取付部材に取外し可能にそれぞれ取り付けられた２つのストッパ（７８）とを備えてもよい。
【発明の効果】
【００１４】
本発明の角落しおよび角落し保管方法は、以下に示す効果を奏する。
（１）上段、中段および下段角落しを平積み保管できるため、角落し保管場所を海水取水口付近に設けても広い敷地での大掛かりな工事を必要とせず、吊替作業なしで海水取水口と角落し保管場所との間をクレーンで角落しを移動させられるので、作業工程を短縮して作業性の向上を図ることができる。
（２）ゲート開用ワイヤーを引き上げて水張り用ゲートを開いて導水管の入口側開口を完全に露出させることにより、角落しを吊り上げなくても海水取水路内に海水を張れるため、海水取水路内に海水を張る際の安全性を図ることができる。
（３）水張り用ゲートが海水中であってもゲート閉用ワイヤーを引き上げれば水張り用ゲートを閉じることができるため、導水管の入口側開口を完全に塞いだのちに上段角落しを引き抜くことができる。
（４）平積み保管された上段、中段および下段角落しを吊り上げる前に角落し吊冶具の２つのストッパを２つのストッパ取付部材からそれぞれ取り外しておくことにより、上段、中段および下段角落しを吊り上げる際にストッパが邪魔にならないようにできる。
【図面の簡単な説明】
【００１５】
【図１】本発明の一実施例による角落し１０の構成を示す正面図である。
【図２】図１に示した上段、中段および下段角落し２０，３０，４０の構成を示す図であり、（ａ），（ｂ）は上段角落し２０の構成を示す正面図および右側面図であり、（ｃ），（ｄ）は中段角落し３０の構成を示す正面図および右側面図であり、（ｅ），（ｆ）は下段角落し４０の構成を示す正面図および右側面図である。
【図３】図１に示した右水張り用ゲート５０Ｒの構成を示す正面図であり、（ａ）は右扉体５１Ｒを閉じたときの右水張り用ゲート５０Ｒの状態を示す正面図であり、（ｂ）は右扉体５１Ｒを開いたときの右水張り用ゲート５０Ｒの状態を示す正面図である。
【図４】本発明の一実施例による角落し保管方法に使用する角落し吊冶具７０の構成を示す正面図であり、（ａ）は２つのストッパ７８を２つのストッパ取付部材７７にそれぞれ取り付けた状態を示す図であり、（ｂ）は２つのストッパ７８を２つのストッパ取付部材７７からそれぞれ取り外した状態を示す図である。
【図５】図４（ａ）に示したウエイト７６の機能について説明するための角落し吊冶具７０の右側面側から見た概要図であり、（ａ）は上段角落し２０を角落し戸溝に挿入する場合について説明するための図であり、（ｂ）は上段角落し２０を角落し戸溝から引き抜く場合について説明するための図である。
【図６】本発明の一実施例による角落し保管方法について説明するための概要図であり、（ａ）〜（ｆ）は平積み保管された下段角落し４０をクレーン１３１で吊る際の作業の流れを示す概要図である。
【図７】従来の角落し保管方法について説明するための図であり、（ａ）は６個の角落し１１１を縦置き保管する場合の角落し保管場所の一構成例を示す図であり、（ｂ）は従来の角落し保管方法の問題点について説明するための図である。
【発明を実施するための形態】
【００１６】
上記の目的を、角落し保管場所で平積み保管等する際にクレーンに接続される２つの上段、中段および下段吊リングを上段、中段および下段角落し扉体の裏面の左右下端部にそれぞれ取り付けることにより実現した。
【実施例１】
【００１７】
以下、本発明の角落しおよび角落し保管方法の実施例について図面を参照して説明する。
本発明の一実施例による角落し１０は、図１に示すように、上段、中段および下段角落し２０，３０，４０に縦方向に３分割されている。
【００１８】
ここで、上段角落し２０は、図２（ａ），（ｂ）に示すように、Ｈ鋼からなる枠体の表面側に鋼板が取り付けられた構造の上段角落し扉体２１（横５ｍ×縦１．６ｍ×幅０．５ｍ、荷重約５ｔ）と、上段角落し扉体２１の上面の左右端部にそれぞれ取り付けられた２つの上段吊金具２２と、上段角落し扉体２１の裏面（鋼板の裏面）の左右下端部にそれぞれ取り付けられた２つの上段吊リング２３と、左および右水張り用ゲート５０Ｌ，５０Ｒと、左および右シーブ６０Ｌ，６０Ｒとを備える。
【００１９】
上段角落し扉体２１の下面には、２つの上段切欠部２１ａが２つの上段吊金具２２の真下にそれぞれ形成されている。
上段角落し扉体２１の表面の左右端部（鋼板の左右端部）には、円筒状の左および右導水管２１ｂＬ，２１ｂＲが、角落し１０で海水を堰き止めたときに通常時の海面水位（潮位）よりも低くなる位置に（図１参照）、上段角落し扉体２１の表面を貫通するように設けられている。
また、左および右導水管２１ｂＬ，２１ｂＲの径は、左および右導水管２１ｂＬ，２１ｂＲの入口側開口の両方を完全に露出させたときに海水取水路内への水張りが１２時間程度でできる大きさ（例えば、２０ｃｍ程度）とされている。
【００２０】
２つの上段吊金具２２はそれぞれ、軸方向が上段角落し扉体２１の横方向と平行にされた上段吊ピン２２ａを備える。
【００２１】
２つの上段吊リング２３は、上段角落し扉体２１の下面から同じ高さに取り付けられている。
【００２２】
左および右水張り用ゲート５０Ｌ，５０Ｒは上段角落し扉体２１の表面の左右端部にそれぞれ取り付けられており、左および右シーブ６０Ｒ，６０Ｌは上段角落し扉体２１の表面の左および右水張り用ゲート５０Ｌ，５０Ｒの下方にそれぞれ取り付けられている。
【００２３】
右水張り用ゲート５０Ｒは、図３（ａ）に示すように、横２５ｃｍ×縦２５ｃｍ程度の矩形板状の右扉体５１Ｒ（重量が１トン程度）と、右扉体５１Ｒを挟んで互いに対向するように上段角落し扉体２１の表面に取り付けられた２つの右ガイド５２Ｒと、右ゲート開用ワイヤー５３Ｒと、右ゲート閉用ワイヤー５４Ｒとを備える。
【００２４】
右扉体５１Ｒの上端中央部には、右ゲート開用ワイヤー５３Ｒの一端部を取り付けるための右上側ワイヤー取付部材５１ａＲが固定されている。
また、右扉体５１Ｒの下端中央部には、右ゲート閉用ワイヤー５４Ｒの一端を取り付けるための右下側ワイヤー取付部材５１ｂＲが固定されている。
【００２５】
２つの右ガイド５２Ｒは、上側ストッパまで右ゲート開用ワイヤー５３Ｒで引き上げて右扉体５１Ｒを開いた状態では右導水管２１ｂＲの入口側開口を完全に露出させるとともに下側ストッパまで右ゲート閉用ワイヤー５４Ｒで引き下げて右扉体５１Ｒを閉じた状態では右導水管２１ｂＲの入口側開口を完全に塞ぐような長さとされている。
また、２つの右ガイド５２Ｒの互いに対向する側面には、右扉体５１Ｒの両端部がそれぞれ差し込まれる右ガイド溝が形成されている。
【００２６】
右ゲート閉用ワイヤー５４Ｒは、右シーブ６０Ｒを通されることによって下向きから上向きに方向が変えられるようにされている。
【００２７】
これにより、右ゲート開用ワイヤー５３Ｒの他端部をレバーブロック（登録商標）に取り付けて右ゲート開用ワイヤー５３Ｒを引き上げると、右扉体５１Ｒが２つの右ガイド５２Ｒに案内されて上側ストッパまで引き上げられるため、右導水管２１ｂＲの入口側開口を完全に露出させることができる（図３（ｂ）参照）。
また、右ゲート閉用ワイヤー５４Ｒの他端部をレバーブロック（登録商標）に取り付けて右ゲート閉用ワイヤー５４Ｒを引き上げると、右扉体５１Ｒが２つの右ガイド５２Ｒに案内されて下側ストッパまで引き下げられるため、右導水管２１ｂＲの入口側開口を完全に塞ぐことができる（図３（ａ）参照）。
【００２８】
同様に、図示していないが、左水張り用ゲート５０Ｌは、横２５ｃｍ×縦２５ｃｍ程度の矩形板状の左扉体５１Ｌ（重量が１トン程度）と、左扉体５１Ｌを挟んで互いに対向するように上段角落し扉体２１の表面に取り付けられた２つの左ガイド５２Ｌと、左ゲート開用ワイヤー５３Ｌと、左ゲート閉用ワイヤー５４Ｌとを備える。
【００２９】
左扉体５１Ｌの上端中央部には、左ゲート開用ワイヤー５３Ｌの一端部を取り付けるための左上側ワイヤー取付部材５１ａＬが固定されている。
また、左扉体５１Ｌの下端中央部には、左ゲート閉用ワイヤー５４Ｌの一端を取り付けるための左下側ワイヤー取付部材５１ｂＬが固定されている。
【００３０】
２つの左ガイド５２Ｌは、上側ストッパまで左ゲート開用ワイヤー５３Ｌで引き上げて左扉体５１Ｌを開いた状態では左導水管２１ｂＬの入口側開口を完全に露出させるとともに下側ストッパまで左ゲート閉用ワイヤー５４Ｌで引き下げて左扉体５１Ｌを閉じた状態では左導水管２１ｂＬの入口側開口を完全に塞ぐような長さとされている。
また、２つの左ガイド５２Ｌの互いに対向する側面には、左扉体５１Ｌの両端部がそれぞれ差し込まれる左ガイド溝が形成されている。
【００３１】
左ゲート閉用ワイヤー５４Ｌは、左シーブ６０Ｌを通されることによって下向きから上向きに方向が変えられるようにされている。
【００３２】
これにより、左ゲート開用ワイヤー５３Ｌの他端部をレバーブロック（登録商標）に取り付けて左ゲート開用ワイヤー５３Ｌを引き上げると、左扉体５１Ｌが２つの左ガイド５２Ｌに案内されて上側ストッパまで引き上げられるため、左導水管２１ｂＬの入口側開口を完全に露出させることができる。
また、左ゲート閉用ワイヤー５４Ｌの他端部をレバーブロック（登録商標）に取り付けて左ゲート閉用ワイヤー５４Ｌを引き上げると、左扉体５１Ｌが２つの左ガイド５２Ｌに案内されて下側ストッパまで引き下げられるため、左導水管２１ｂＬの入口側開口を完全に塞ぐことができる。
【００３３】
中段角落し３０は、図２（ｃ），（ｄ）に示すように、Ｈ鋼からなる枠体の表面側に鋼板が取り付けられた構造の中段角落し扉体３１（横５ｍ×縦１．６ｍ×幅０．５ｍ、荷重約５ｔ）と、中段角落し扉体３１の上面の左右端部にそれぞれ取り付けられた２つの中段吊金具３２と、中段角落し扉体３１の裏面（鋼板の裏面）の左右下端部にそれぞれ取り付けられた２つの中段吊リング３３とを備える。
中段角落し扉体３１の下面には、２つの中段切欠部３１ａが２つの中段吊金具３２の真下にそれぞれ形成されている。
２つの中段吊金具３２はそれぞれ、軸方向が中段角落し扉体３１の横方向と平行にされた中段吊ピン３２ａを備える。
２つの中段吊リング３３は、中段角落し扉体３１の下面から同じ高さに取り付けられている。
【００３４】
下段角落し４０は、図２（ｅ），（ｆ）に示すように、Ｈ鋼からなる枠体の表面側に鋼板が取り付けられた構造の下段角落し扉体４１（横５ｍ×縦１．６ｍ×幅０．５ｍ、荷重約５ｔ）と、下段角落し扉体４１の上面の左右端部にそれぞれ取り付けられた２つの下段吊金具４２と、下段角落し扉体４１の裏面（鋼板の裏面）の左右下端部にそれぞれ取り付けられた２つの下段吊リング４３とを備える。
２つの下段吊金具４２はそれぞれ、軸方向が下段角落し扉体４１の横方向と平行にされた下段吊ピン４２ａを備える。
２つの下段吊リング４３は、下段角落し扉体４１の下面から同じ高さに取り付けられている。
なお、上段および中段角落し２０，３０では、積み重ねる際に２つの中段吊金具３２を２つの上段切欠部２１ａにそれぞれ挿入させるとともに２つの下段吊金具４２を２つの中段切欠部３１ａにそれぞれ挿入させる必要があるが、下段角落し４０ではこのような必要がないため、下段角落し扉体４１の下面には下段切欠部は形成されていない。
【００３５】
次に、本発明の一実施例による角落し保管方法について説明する。
まず、本実施例による角落し保管方法で使用する角落し吊冶具７０について図４（ａ），（ｂ）を参照して説明する。
角落し吊冶具７０は、図４（ａ）に示すように、棒状のリフティングビーム７１と、吊りフック連結棒支持部材７２と、２つの吊フック支持部材７３と、吊フック連結棒７４と、２つの吊フック７５と、ウエイト７６（カウンターウエイト）と、２つのストッパ取付部材７７と、２つのストッパ７８と、２つの吊金具７９と、２本の吊ワイヤー８０と、吊リング８１とを具備する。
【００３６】
ここで、リフティングビーム７１は、棒状のビーム本体７１ａと、ビーム本体７１ａの左右端部にそれぞれ取り付けられた２つのガイド部材７１ｂとを備える。
２つのガイド部材７１ｂは、角落し吊冶具７０で上段、中段および下段角落し２０，３０，４０を吊って角落し戸溝に挿入したり角落し戸溝から引き抜いたりする際に角落し戸溝に挿入される。
そのため、２つのガイド部材７１ｂは、裏面側が上下に分離された側面視コの字状とされ、裏面（分離された上下部分の端面）には角落し吊冶具７０を角落し戸溝に沿って案内させるための案内ローラ（不図示）が１個ずつ取り付けられている。
【００３７】
吊りフック連結棒支持部材７２は、上端部がビーム本体７１ａの下面の中央部に取り付けられて、リフティングビーム７１の中央部に下方に向けて取り付けられている。
【００３８】
２つの吊フック支持部材７３はそれぞれ、横方向に所定の間隔をもって互いに対向する一対の板状部材と、一対の板状部材のうち内側の板状部材の外側面（ウエイト７６側の面）の下端部に取り付けられた吊フック連結棒端部支持部材とを備える。
２つの吊フック支持部材７３は、一対の板状部材の上端部がビーム本体７１ａの左右端部にそれぞれ取り付けられて、リフティングビーム７１の左右端部に下方に向けてそれぞれ取り付けられている。
【００３９】
吊フック連結棒７４は、ビーム本体７１ａと平行になるように中央部が吊フック連結棒支持部材７２に回転可能に支持されるとともに、左右端部が２つの吊フック支持部材７３の吊フック連結棒端部支持部材にそれぞれ回転可能に支持されて、リフティングビーム７１の中央部の下方に取り付けられている。
【００４０】
２つの吊フック７５は、上端部が２つの吊フック支持部材７３の一対の板状部材に挟まれて吊フック連結棒７４の左右端部にキー止めされてそれぞれ支持されて、吊フック連結棒７４の左右端部にそれぞれ取り付けられている。
２つの吊フック７５の下端部は、上段、中段および下段角落し２０，３０，４０の２つの上段、中段および下段吊ピン２２ａ，３２ａ，４２ａに掛止して上段、中段および下段角落し２０，３０，４０を吊れるように、角落し吊冶具７０の表面向きのフック部とされている。
【００４１】
ウエイト７６は、吊フック連結棒７４を介して２つの吊フック７５に掛け方向および脱方向モーメントを作用させるためのものであり、吊フック連結棒７４の中央部（吊フック連結棒支持部材７２の右隣り）に取り付けられている。
ウエイト７６には、２つの吊フック７５に掛け方向および脱方向モーメントを作用させるための引揚ワイヤー７６ａの下端部が固定されている。
すなわち、引揚ワイヤー７６ａを手で操作して吊フック連結棒７４を回転軸としてウエイト７６を回転させて角落し吊冶具７０の裏面側に倒すと、２つの吊フック７５を吊フック連結棒７４に対して略垂直に垂れ下がった状態として、掛け方向モーメントを２つの吊フック７５に作用させることができる（図５（ａ）の左側の図参照）。
また、引揚ワイヤー７６ａを手で操作して吊フック連結棒７４を回転軸としてウエイト７６を回転させて角落し吊冶具７０の表面側に倒すと、２つの吊フック７５を吊フック連結棒７４に対して角落し吊冶具７０の裏面側に約４５°下向きに倒れた状態として、脱方向モーメントを２つの吊フック７５に作用させることができる（図５（ａ）の左から３番目および４番目の図参照）。
【００４２】
２つのストッパ取付部材７７は、上端部がビーム本体７１ａの下面の左右端部に２つの吊フック支持部材７３を挟んでそれぞれ取り付けられて、リフティングビーム７１の左右端部に下方に向けてそれぞれ取り付けられている。
【００４３】
２つのストッパ７８は、上段、中段および下段角落し２０，３０，４０を角落し戸溝から引き抜くために角落し吊冶具７０を角落し戸溝に挿入していく際に、上段、中段および下段角落し扉体２１，３１，４１に当接させて、２つの上段、中段および下段吊ピン２２ａ，３２ａ，４２ａと２つの吊フック７５のフック部との間に若干の隙間が生じる位置で角落し吊冶具７０の下降を停止させるためのものである（図５（ｂ）の右から２番目の図参照）。
また、図４（ｂ）に示すように２つのストッパ７８を２つのストッパ取付部材７７からそれぞれ取り外せるように、４隅にボルト孔が形成された矩形状フランジが２つのストッパ取付部材７７の下面および２つのストッパ７８の上面に取り付けられており、４組のボルトおよびナットを用いて２つのストッパ７８を２つのストッパ取付部材７７にそれぞれ取り付けられるようにされている。
【００４４】
２つの吊金具７９は、リフティングビーム７１のビーム本体７１ａの上面の２つの吊フック支持部材７３の真上にそれぞれ取り付けられている。
【００４５】
２本の吊ワイヤー８０および吊リング８１は、角落し吊冶具７０をクレーンで２点吊りするためのものであり、２本の吊ワイヤー８０の下端部は２つの吊金具７９にそれぞれ取り付けられており、２本の吊ワイヤー８０上端部は吊リング８１に取り付けられている。
【００４６】
次に、ウエイト７６の機能について、上段角落し２０を角落し戸溝に挿入したり角落し戸溝から引き抜いたりする場合を例として図５（ａ），（ｂ）を参照して詳細に説明する。
【００４７】
上段角落し２０を角落し戸溝に挿入する際には、図５（ａ）の左側の図に矢印で示すように角落し吊冶具７０を用いて吊った上段角落し２０を下降させていく。
このとき、ウエイト７６を引揚ワイヤー７６ａによって角落し吊冶具７０の裏面側（同図紙面の右側）に倒して、掛け方向モーメント（同図で時計回りのトルク）を２つの吊フック７５に吊フック連結棒７４を介して作用させておく。
これにより、２つの吊フック７５が２つの上段吊ピン２２ａからそれぞれ外れないようにすることができる。
【００４８】
上段角落し２０が中段角落し３０に当接したのち、角落し吊冶具７０を若干下降させるとともに、引揚ワイヤー７６ａによって左から２番目および３番目の図に矢印で示すようにウエイト７６を角落し吊冶具７０の表面側（同図紙面の左側）に倒して、脱方向モーメント（同図で反時計回りのトルク）を２つの吊フック７５に吊フック連結棒７４を介して作用させる。
これにより、脱方向モーメントが２つの吊フック７５に作用して、２つの吊フック７５が２つの上段吊ピン２２ａからそれぞれ外れるため、左から４番目の図に矢印で示すように角落し吊冶具７０を上段角落し２０から外して引き上げることができる。
【００４９】
上段角落し２０を角落し戸溝から引き抜く際には、図５（ｂ）の左側の図に矢印で示すように角落し吊冶具７０を角落し戸溝に挿入していく。
このとき、ウエイト７６を引揚ワイヤー７６ａによって角落し吊冶具７０の裏面側に倒して、掛け方向モーメント（時計回りのトルク）を２つの吊フック７５に吊フック連結棒７４を介して作用させておく。
【００５０】
２つの吊フック７５のフック部が上段角落し２０の２つの上段吊ピン２２ａにそれぞれ当接すると、２つの吊フック７５は、左から２番目の図に矢印で示すようにウエイト７６の掛け方向モーメントによる付勢力に抗して反時計回りに回転し始める。
２つの吊フック７５のフック部の先端部が２つの上段吊ピン２２ａの下方にくると、２つの吊フック７５は、左から３番目の図に矢印で示すようにウエイト７６の掛け方向モーメントによって２つの上段吊ピン２２ａにそれぞれ掛止する。
また、右側の図に矢印で示すように上段角落し２０を吊り上げていく際に、ウエイト７６によって掛け方向モーメントを２つの吊フック７５に作用させることができるため、２つの吊フック７５が２つの上段吊ピン２２ａからそれぞれ外れないようにできる。
【００５１】
次に、本実施例による角落し保管方法について図６を参照して説明する。
通常時には、上段、中段および下段角落し２０，３０，４０（角落し１０）は、海水取水口１２１付近（クレーン１３１の旋回範囲の緑地帯）の角落し保管場所１２２に（図７（ｂ）参照）、図６（ａ）に示すように表面を上にして複数本の尺角９１で緩衝させて下からこの順に平積み保管する。
【００５２】
海水取水路の点検や清掃等を行うために角落し１０を角落し戸溝に挿入する際には、まず下段角落し４０を角落し戸溝に挿入するために、作業員は、角落し吊冶具７０をクレーン１３１に２本の吊ワイヤー８０を介して吊り下げる。
このとき、ウエイト７６は、角落し吊冶具７０の裏面側に倒して掛け方向モーメントが２つの吊フック７５に作用するようにしておく。
また、２つのストッパ７８は、２つの吊フック７５を２つの下段吊りピン４２ａに掛止する際に下段角落し扉体４１に当たらないように、２つのストッパ取付部材７７からそれぞれ取り外しておく。
【００５３】
その後、作業員は、クレーン１３１を操作して、２つの吊フック７５が２つの下段吊ピン４２ａにそれぞれ当接するように角落し吊冶具７０を下降させていく。
これにより、２つの吊フック７５が２つの下段吊ピン４２ａにそれぞれ掛止する（図５（ｂ）参照）。
【００５４】
その後、作業員は、図６（ｂ）に示すように、上端部がクレーン１３１に取り付けられた２本の子吊ワイヤー９２（同図には１本の子吊ワイヤー９２のみ図示）の下端部を下段角落し扉体４１の裏面側（鋼板の裏面側）から２つの下段吊りリング４３にそれぞれ取り付ける。
【００５５】
その後、作業員は、クレーン１３１を操作して、図６（ｃ）に矢印で示すように下段角落し４０を横向きのまま吊り上げたのち、下段角落し４０を立てても中段角落し３０に当たらない位置まで下段角落し４０を移動させる。
【００５６】
その後、作業員は、クレーン１３１を操作して２本の子吊ワイヤー９２を下げていき、図６（ｄ），（ｅ）に矢印で示すように下段角落し扉体４１の下端部を下げていって、下段角落し４０を立てる（垂直に吊り下げる）。
【００５７】
その後、作業員は、２本の子吊ワイヤー９２の下端部を２つの下段吊りリング４３からそれぞれ取り外すとともに、２つのストッパ７８を２つのストッパ取付部材７７にそれぞれ取り付けたのち、クレーン１３１を操作して図６（ｆ）に矢印で示すように下段角落し４０を吊り上げたのち、クレーン１３１を旋回させて下段角落し４０を海水取水口１２１の角落し戸溝の上方まで移動させる。
【００５８】
その後、作業員は、クレーン１３１を操作して下段角落し４０を角落し戸溝に挿入していく。
【００５９】
作業員は、２つのストッパ７８が下段角落し扉体４１の上面に当接したことを確認すると、引揚ワイヤー７６ａを手で操作してウエイト７６を角落し吊冶具７０の表面側に倒す。
これにより、２つの吊フック７５が２つの下段吊ピン４２ａからそれぞれ外れる（図５（ａ）参照）。
【００６０】
その後、作業員は、クレーン１３１を操作して角落し吊冶具７０を引き上げたのち、クレーン１３１を旋回させて角落し吊冶具７０を角落し保管場所１２２の上方に移動させたのち、同様の手順で中段および上段角落し３０，２０の順で角落し戸溝に挿入していく。
【００６１】
このとき、上段角落し２０については、左および右水張り用ゲート５０Ｌ，５０Ｒの左および右扉体５１Ｌ，５１Ｒを完全に閉じて挿入していく（図３（ａ）参照）が、途中で左または右ゲート開用ワイヤー５３Ｌ，５３Ｒが何かに引っ掛って左または右扉体５１Ｌ，５１Ｒが上方に引っ張られて僅かでも開くと、海水が左または右扉体５１Ｌ，５１Ｒを通って海水取水路に漏れ出してしまう。
しかし、作業員は、海水が左または右扉体５１Ｌ，５１Ｒを通って海水取水路に漏れ出していることに気づいた時点で、左または右ゲート閉用ワイヤー５４Ｌ，５４Ｒの他端部をレバーブロック（登録商標）に取り付けて左または右ゲート閉用ワイヤー５４Ｌ，５４Ｒを引き上げて、左または右扉体５１Ｌ，５１Ｒを完全に閉じることにより、海水の漏れ出しを止めることができる。
なお、上記の特許文献２に開示された角落しの構造では、海水取水路に使用する場合には、左または右ゲート閉用ワイヤー５４Ｌ，５４Ｒを備えておらず、また、左または右扉体５１Ｌ，５１Ｒは海水によって上段角落し扉２１側に押圧されていることから自重では落下しないため、作業員が海中で左または右扉体５１Ｌ，５１Ｒを完全に閉じなければならないという問題がある。
【００６２】
海水取水路の点検や清掃等が完了すると、作業員は、左および右ゲート開用ワイヤー５３Ｌ，５３Ｒの他端部をレバーブロック（登録商標）に順に取り付けて左および右ゲート開用ワイヤー５３Ｌ，５３Ｒを引き上げ、左および右扉体５１Ｌ，５１Ｒを完全に開いて（図３（ｂ）参照）、海水取水路内に海水を１２時間程度かけて張っていく。
【００６３】
その後、作業員は、左および右ゲート閉用ワイヤー５４Ｌ，５４Ｒの他端部をレバーブロック（登録商標）に順に取り付け、左および右ゲート閉用ワイヤー５４Ｌ，５４Ｒを引き上げて、左および右扉体５１Ｌ，５１Ｒを完全に閉じる（図３（ａ）参照）。
これにより、左および右扉体５１Ｌ，５１Ｒが完全に開いたまま上段角落し２０を引き抜いていくと、左および右扉体５１Ｌ，５１Ｒは海中にあるときには海水によって上段角落し扉２１側に押圧されているため開いたままとなるので海中から出ると自重で落下してしまい傷付いたりするおそれがあるが、これを防止することができる。
なお、上記の特許文献２に開示された角落しの構造では、水張り用ゲートに水圧が作用していない状態（すなわち、空気中）で複数段の角落しを適宜吊り上げていくため、最下段の角落しに取り付けられた水張り用ゲートは自重で落下して必ず閉じるので、水張り用ゲートが完全に開いたまま最下段の角落しを吊り上げていくことは想定しなくてよいものである。
【００６４】
また、左および右水張り用ゲート５０Ｌ，５０Ｒは上段角落し扉２１に取り付けられているため、左および右ゲート開用ワイヤー５３Ｌ，５３Ｒと左および右ゲート閉用ワイヤー５４Ｌ，５４Ｒとが中段および下段角落し３０，４０を引き抜く際に邪魔になることはない。
なお、上記の特許文献２に開示された角落しの構造では、左および右水張り用ゲート５０Ｌ，５０Ｒを下段角落し扉４３に取り付けることになるため、左および右ゲート開用ワイヤー５３Ｌ，５３Ｒと左および右ゲート閉用ワイヤー５４Ｌ，５４Ｒとが上段および中段角落し２０，３０を引き抜く際に邪魔になるという問題がある。
【００６５】
その後、作業員は、クレーン１３１で吊った角落し吊冶具７０を角落し戸溝の上方に移動させる。
このとき、２つのストッパ７８は２つのストッパ取付部材７７にそれぞれ取り付けておく。また、引揚ワイヤー７６ａを手で操作してウエイト７６を角落し吊冶具７０の裏面側に倒して、掛け方向モーメントが２つの吊フック７５に作用するようにしておく。
【００６６】
その後、作業員は、クレーン１３１を操作して角落し吊冶具７０を角落し戸溝に挿入していく。
【００６７】
２つの吊フック７５が上段角落し２０の２つの上段吊ピン２２ａにそれぞれ当接すると、２つの吊フック７５が２つの上段吊ピン２２ａにそれぞれ掛止する（図５（ｂ）参照）。
【００６８】
その後、作業員は、２つのストッパ７８が上段角落し扉体２１の上面に当接したことを確認すると、クレーン１３１を操作して上段角落し２０を角落し戸溝から引き抜いたのち、クレーン１３１を旋回させて上段角落し２０を角落し保管場所１２２の上方に移動させる。
【００６９】
その後、作業員は、クレーン１３１を操作して上段角落し２０を下降させたのち、２本の子吊ワイヤー９２の下端部を上段角落し扉体２１の裏面側（鋼板の裏面側）から２つの上段吊りリング５３にそれぞれ取り付けるとともに、２つのストッパ７８を２つのストッパ取付部材７７からそれぞれ取り外す。
【００７０】
その後、作業員は、クレーン１３１を操作して、２本の子吊ワイヤー９２を引き上げて表面を上にして上段角落し２０を横向きにしたのち、横向きにされた上段角落し２０を下げていき複数本の尺角９１の上に置く。
【００７１】
その後、作業員は、引揚ワイヤー７６ａを手で操作して、ウエイト７６を角落し吊冶具７０の表面側に倒す。
これにより、２つの吊フック７５が２つの上段吊ピン７２ａからそれぞれ外れる（図５（ａ）参照）。
【００７２】
その後、作業員は、２本の子吊ワイヤー９２を２つの上段吊りリング５３からそれぞれ取り外したのち、クレーン１３１を操作して角落し吊冶具７０を吊り上げたのち、２つのストッパ７８を２つのストッパ取付部材７７にそれぞれ取り付ける。
また、作業員は、引揚ワイヤー７６ａを手で操作して、ウエイト７６を角落し吊冶具７０の裏面側に倒し、掛け方向モーメントが２つの吊フック７５に作用するようにする。
【００７３】
その後、作業員は、クレーン１３１を操作して角落し吊冶具７０を吊り上げたのち、クレーン１３１を旋回させて角落し吊冶具７０を角落し戸溝の上方に移動させる。
【００７４】
その後、作業員は、同様に手順で、中段角落し３０を角落し戸溝から引き抜いて、角落し保管場所１２２に保管された上段角落し２０の上に複数本の尺角９１を介して平積みしたのち、下段角落し４０を角落し戸溝から引き抜いて、角落し保管場所１２２に保管された中段角落し３０の上に複数本の尺角９１を介して平積みする。
【００７５】
以上の説明では、左および右水張り用ゲート５０Ｌ，５０Ｒと左および右シーブ６０Ｌ，６０Ｒとを上段角落し扉体２１の表面の左右端部にそれぞれ取り付けたが、１個の導水管で海水取水路内への水張りが１２時間程度でできる規模の海水取水路では、上段角落し扉体２１の中央部に導水管を設けて上段角落し扉体２１の表面の中央部に水張り用ゲートおよびシーブを取り付けるようにしてもよい。
【００７６】
また、上段角落し２０に導水管を設けることや上段角落し２０に水張り用ゲートおよびシーブを取り付けることは好ましいが必須ではない。
【００７７】
さらに、上段，中段および下段角落し２０，３０，４０を角落し戸溝に挿入する際に上段，中段および下段角落し２０，３０，４０がずれないようにするために、２つの上段，中段および下段位置決めピンを上段，中段および下段角落し扉体２１，３１，４１の上面の左右端部に２つの上段，中段および下段吊金具２２，３２，４２を挟んでそれぞれ取り付けてもよい。
この場合には、２つの中段および下段位置決めピンをそれぞれ挿入するための２つの上段および中段ピン挿入部を上段および中段角落し扉体２１，３１の下面の左右端部に上段および中段切欠部２１ａ，３１ａを挟んでそれぞれ設ける。
【符号の説明】
【００７８】
１０  角落し
２０，３０，４０  上段，中段および下段角落し
２１，３１，４１  上段，中段および下段角落し扉体
２１ａ，３１ａ  上段および中段切欠部
２１ｂＬ，２１ｂＲ  左および右導水管
２２，３２，４２  上段，中段および下段吊金具
２２ａ，３２ａ，４２ａ  上段，中段および下段吊ピン
２３，３３，４３  上段，中段および下段吊リング
５０Ｌ，５０Ｒ  左および右水張り用ゲート
５１Ｌ，５１Ｒ  左および右扉体
５１ａＬ，５１ａＲ  左および右上側ワイヤー取付部材
５１ｂＬ，５１ｂＲ  左および右下側ワイヤー取付部材
５２Ｌ，５２Ｒ  左および右ガイド
５３Ｌ，５３Ｒ  左および右ゲート開用ワイヤー
５４Ｌ，５４Ｒ  左および右ゲート閉用ワイヤー
６０Ｌ，６０Ｒ  左および右シーブ
７０  角落し吊冶具
７１  リフティングビーム
７１ａ  ビーム本体
７１ｂ  ガイド部材
７２  吊りフック連結棒支持部材
７３  吊フック支持部材
７４  吊フック連結棒
７５  吊フック
７６  ウエイト
７６ａ  引揚ワイヤー
７７  ストッパ取付部材
７８  ストッパ
７９  吊金具
８０  吊ワイヤー
８１  吊リング
９１  尺角
９２  子吊ワイヤー
１１１  角落し
１１２  コンクリート基礎
１１３  転倒防止用側壁
１１３ａ  固定用コンクリート
１１３ｂ  ゴム製緩衝材
１２１  海水取水口
１２２  角落し保管場所
１３１  クレーン
【図１】
2020060007.tif 000003
【図２】
2020060007.tif 000004
【図３】
2020060007.tif 000005
【図４】
2020060007.tif 000006
【図５】
2020060007.tif 000007
【図６】
2020060007.tif 000008
【図７】
2020060007.tif 000009